(57)【特許請求の範囲】
【請求項１】
コンテンツの画面とスクロールバーを表示するタッチパネルと、
上記スクロールバーに対する接触物によるスクロール操作によって、上記タッチパネル上の上記コンテンツの当初画面から上記スクロール操作に基づいてスクロールしたスクロール画面までをスクロールして、上記スクロール画面の表示を継続するスクロール手段と、
上記スクロールバーに対する上記接触物による特定操作によって暫定スクロールモードを設定するための暫定スクロールモード設定手段と、
上記暫定スクロールモードが設定されたときの上記タッチパネル上の表示画面である当初画面を特定する当初画面特定情報を記憶する当初画面記憶手段と、
上記暫定スクロールモードが設定された状態で、上記スクロールバーに対する接触物によるスクロール操作によって、上記タッチパネル上の上記当初画面から上記スクロール画面までをスクロールした後、上記スクロールバーから上記接触物をリリースすると、上記当初画面記憶手段に記憶されている上記当初画面特定情報に基づいて、上記当初画面の表示に復帰する暫定スクロールを行う暫定スクロール手段と、
上記暫定スクロールモードが設定され、かつ、上記タッチパネル上に上記スクロール画面が表示されているときに、上記接触物を上記スクロールバー上から上記スクロール画面上へドラッグしてから上記スクロール画面上でリリースすると、上記暫定スクロールモードを解除して、上記スクロール画面の表示を継続する暫定スクロールモード解除手段と
を備えることを特徴とする情報表示装置。
【請求項２】
請求項１に記載の情報表示装置において、
上記暫定スクロールモードが設定されたときに、上記スクロールバーの全体、あるいは上記スクロールバーのグリップ部分の色を変更する色変更手段を備えることを特徴とする情報表示装置。
【請求項３】
スクロールバーに対する接触物によるスクロール操作によって、タッチパネル上のコンテンツの当初画面から上記スクロール操作に基づいてスクロールしたスクロール画面までをスクロールして、上記スクロール画面の表示を継続するスクロール工程と、
上記スクロールバーに対する上記接触物による特定操作によって暫定スクロールモードを設定する暫定スクロールモード設定工程と、
上記暫定スクロールモードが設定されたときの上記タッチパネル上の表示画面である当初画面を特定する当初画面特定情報を記憶する当初画面記憶工程と、
上記暫定スクロールモードが設定された状態で、上記スクロールバーに対する接触物によるスクロール操作によって、上記タッチパネル上の上記当初画面から上記スクロール画面までをスクロールした後、上記スクロールバーから上記接触物をリリースすると、上記当初画面記憶工程で記憶されている上記当初画面特定情報に基づいて、上記当初画面の表示に復帰する暫定スクロールを行う暫定スクロール工程と、
上記暫定スクロールモードが設定され、かつ、上記タッチパネル上に上記スクロール画面が表示されているときに、上記接触物を上記スクロールバー上から上記スクロール画面上へドラッグしてから上記スクロール画面上でリリースすると、上記暫定スクロールモードを解除して、上記スクロール画面の表示を継続する暫定スクロールモード解除工程と
を備えることを特徴とする情報表示方法。
【請求項４】
コンピュータを、
請求項１における上記スクロール手段、上記暫定スクロールモード設定手段、上記当初画面記憶手段、上記暫定スクロール手段および上記暫定スクロールモード解除手段
として機能させることを特徴とする情報表示プログラム。
【請求項５】
請求項４に記載の情報表示プログラムが記録されたことを特徴とするコンピュータ読出し可能なプログラム記録媒体。
【発明の詳細な説明】
【技術分野】
【０００１】
この発明は、例えば、電子辞書、携帯電話、携帯情報端末（PDA: Personal Digital Assistant）等の情報表示装置、情報表示方法、情報表示プログラム、および、プログラム記録媒体に関する。
【背景技術】
【０００２】
従来、情報表示装置としては、特開２００１−２０２１７６号公報（特許文献１）に開示されたものがある。
【０００３】
この情報表示装置は、スクロールバーに対する操作であってスクロールバー上から離れて移動する操作を検知する第１の検知手段と、スクロールバーに対するスクロール方向の操作量を検知する第２の検知手段と、第１の検知手段によって検知された操作と第２の検知手段によって検知された操作量に応じて、画面をスクロールさせるスクロール手段とを備えている。
【０００４】
そして、この情報表示装置は、スクロールバーに対する画面をスクロールさせるための操作方向とは異なる方向への操作があった場合に、画面をスクロールさせるための操作方向への操作量に応じたスクロール量を変化させることができるので、大量のデータの一部を一覧表示させる際に、所望するデータ範囲を容易に指定することができるという優れた点がある。
【先行技術文献】
【特許文献】
【０００５】
【特許文献１】特開２００１−２０２１７６号公報
【発明の概要】
【発明が解決しようとする課題】
【０００６】
ところで、辞書や参考書等の電子書籍の閲覧時、現在の画面に表示されているページから、別のページをちらりと参照して、再度、元のページに戻って、元のページの続きを読みたい場合がある。
【０００７】
しかるに、上記従来の情報表示装置では、スクロールの速度を、要求に応じて変えることができても、元のページから、参照先のページまでスクロールした後で、元のページに戻るためには、再度、スクロールしなければならず、スクロール操作が煩雑となる問題があった。
【０００８】
そこで、この発明の課題は、スクロール後に元の画面に戻る際の操作を簡単にした情報表示装置、情報表示方法、情報表示プログラム、および、プログラム記録媒体を提供することにある。
【課題を解決するための手段】
【０００９】
上記課題を解決するため、この発明の情報表示装置は、
コンテンツの画面とスクロールバーを表示するタッチパネルと、
上記スクロールバーに対する接触物によるスクロール操作によって、上記タッチパネル上の上記コンテンツの当初画面から上記スクロール操作に基づいてスクロールしたスクロール画面までをスクロールして、上記スクロール画面の表示を継続するスクロール手段と、
上記スクロールバーに対する上記接触物による特定操作によって暫定スクロールモードを設定するための暫定スクロールモード設定手段と、
上記暫定スクロールモードが設定されたときの上記タッチパネル上の表示画面である当初画面を特定する当初画面特定情報を記憶する当初画面記憶手段と、
上記暫定スクロールモードが設定された状態で、上記スクロールバーに対する接触物によるスクロール操作によって、上記タッチパネル上の上記当初画面から上記スクロール画面までをスクロールした後、上記スクロールバーから上記接触物をリリースすると、上記当初画面記憶手段に記憶されている上記当初画面特定情報に基づいて、上記当初画面の表示に復帰する暫定スクロールを行う暫定スクロール手段と、
上記暫定スクロールモードが設定され、かつ、上記タッチパネル上に上記スクロール画面が表示されているときに、上記接触物を上記スクロールバー上から上記スクロール画面上へドラッグしてから上記スクロール画面上でリリースすると、上記暫定スクロールモードを解除して、上記スクロール画面の表示を継続する暫定スクロールモード解除手段と
を備えることを特徴としている。
【００１０】
ここで、上記「特定操作」とは、例えば、スクロールバーを長押しすることや、スクロールバーをマルチタッチすること等である。上記「接触物」とは、例えば、ペンや指等である。
【００１１】
上記構成の情報表示装置において、例えば、辞書のような書籍型のコンテンツを表示するとする。
【００１２】
使用者は、上記スクロール手段によって、コンテンツの当初画面から最後画面、つまり、スクロール画面までをスクロールして最後画面を表示する通常のスクロールを行うことができる。
【００１３】
一方、当初画面から最後画面をちらりと参照する場合、当初画面が表示されているときに、スクロールバーに対して接触物により特定操作を行う。
【００１４】
これにより、上記暫定スクロールモード設定手段は、暫定スクロールモードを設定し、上記当初画面記憶手段は、当初画面を特定する当初画面特定情報を記憶する。
【００１５】
この暫定スクロールモードが設定された状態で、スクロールバーにタッチしたままスクロールバーをスクロールさせることで、上記暫定スクロール手段は、最後画面、つまり、スクロール画面を表示する。
【００１６】
この最後画面を参照した後、スクロールバーのタッチをリリースすることで、上記暫定スクロール手段は、当初画面記憶手段に記憶されている当初画面特定情報に基づいて、当初画面を表示する。
【００１７】
このように、スクロールして最後画面、つまり、スクロール画面をちらりと見た後、当初画面に戻りたいときは、暫定スクロール手段によって、使用者は、面倒なスクロール操作をしなくても、簡単に当初画面に戻ることができる。
【００１８】
なお、書籍型のコンテンツ以外に、映像や画面型のコンテンツを表示してもよく、上述と同様の動作が行われる。
【００１９】
【００２０】
この発明の情報表示装置において、暫定スクロールモードが設定され、最後画面、つまり、スクロール画面が表示されているとする。
【００２１】
この状態で、使用者の気が変わって、最後画面から続けて読みたい場合がある。そのとき、スクロールバーのタッチを、スクロールバー上から最後画面上へドラッグしてから最後画面上でリリースする。
【００２２】
そうすると、上記暫定スクロールモード解除手段は、暫定スクロールモードを解除して、最後画面の表示を継続する。このように、簡単な操作で、通常のスクロールと同様に当初画面に戻さずに、最後画面の表示を継続できる。
【００２３】
したがって、一度、暫定スクロールモード設定が設定され、暫定スクロール手段で暫定スクロールを行っていても、気持ちが変わったときは、暫定スクロールモード解除手段によって、通常のスクロールと同じ状態にして、最後画面を表示したままにできる。
【００２４】
また、一実施形態の情報表示装置では、
上記暫定スクロールモードが設定されたときに、上記スクロールバーの全体、あるいは上記スクロールバーのグリップ部分の色を変更する色変更手段を備える。
【００２５】
この実施形態の情報表示装置において、暫定スクロールモードが設定されたときに、色変更手段によって、スクロールバーの全体またはグリップ部分の色が、変更される。これにより、使用者は、暫定スクロールモードの設定を、コンテンツの表示部分を狭めることなく、視覚により簡単に確認できる。
【００２６】
また、一実施形態の情報表示方法では、
スクロールバーに対する接触物によるスクロール操作によって、タッチパネル上のコンテンツの当初画面から上記スクロール操作に基づいてスクロールしたスクロール画面までをスクロールして、上記スクロール画面の表示を継続するスクロール工程と、
上記スクロールバーに対する上記接触物による特定操作によって暫定スクロールモードを設定する暫定スクロールモード設定工程と、
上記暫定スクロールモードが設定されたときの上記タッチパネル上の表示画面である当初画面を特定する当初画面特定情報を記憶する当初画面記憶工程と、
上記暫定スクロールモードが設定された状態で、上記スクロールバーに対する接触物によるスクロール操作によって、上記タッチパネル上の上記当初画面から上記スクロール画面までをスクロールした後、上記スクロールバーから上記接触物をリリースすると、上記当初画面記憶工程で記憶されている上記当初画面特定情報に基づいて、上記当初画面の表示に復帰する暫定スクロールを行う暫定スクロール工程と、
上記暫定スクロールモードが設定され、かつ、上記タッチパネル上に上記スクロール画面が表示されているときに、上記接触物を上記スクロールバー上から上記スクロール画面上へドラッグしてから上記スクロール画面上でリリースすると、上記暫定スクロールモードを解除して、上記スクロール画面の表示を継続する暫定スクロールモード解除工程と
を備える。
【００２７】
この実施形態の情報表示方法によれば、スクロール後に元の当初画面に戻るための煩雑なスクロール操作を不要にでき、かつ、スクロール後の最後画面から当初画面の復帰と、最後画面の表示の維持とを、自在に選択でき、操作性が向上する。
【００２８】
また、一実施形態の情報表示プログラムでは、
コンピュータを、
上記スクロール手段、上記暫定スクロールモード設定手段、上記当初画面記憶手段、上記暫定スクロール手段および上記暫定スクロールモード解除手段
として機能させる。
【００２９】
また、一実施形態のプログラム記録媒体では、上記情報表示プログラムが記録されている。
【００３０】
この実施形態の情報表示プログラムおよびプログラム記録媒体によれば、クロール後に元の当初画面に戻るための煩雑なスクロール操作を不要にでき、かつ、スクロール後の最後画面から当初画面の復帰と、最後画面の表示の維持とを、自在に選択でき、操作性が向上する。
【発明の効果】
【００３１】
この発明の情報表示装置、情報表示方法、情報表示プログラム、および、プログラム記録媒体によれば、スクロール後に元の当初画面に戻るための煩雑なスクロール操作を不要にでき、かつ、スクロール後の最後画面から当初画面の復帰と、最後画面の表示の維持とを、自在に選択でき、操作性が向上する。
【図面の簡単な説明】
【００３２】
【図１】本発明の情報表示装置を示すブロック図である。
【図２Ａ】上記情報表示装置の動作を示すフローチャートである。
【図２Ｂ】上記情報表示装置の動作を示すフローチャートである。
【図３Ａ】上記情報表示装置の画面を示す説明図である。
【図３Ｂ】上記情報表示装置の画面を示す説明図である。
【図４Ａ】上記情報表示装置の画面の操作を示す説明図である。
【図４Ｂ】上記情報表示装置の画面の操作を示す説明図である。
【図４Ｃ】上記情報表示装置の画面の操作を示す説明図である。
【図５Ａ】上記情報表示装置の画面の操作を示す説明図である。
【図５Ｂ】上記情報表示装置の画面の操作を示す説明図である。
【図６Ａ】上記情報表示装置の画面の操作を示す説明図である。
【図６Ｂ】上記情報表示装置の画面の操作を示す説明図である。
【発明を実施するための形態】
【００３３】
以下、この発明を図示の実施の形態により詳細に説明する。
【００３４】
図１は、この発明の情報表示装置を示すブロック図である。図１に示すように、この情報表示装置１は、電子辞書であり、タッチパネル１０と、記憶部２０と、制御部３０とを備える。
【００３５】
上記タッチパネル１０は、（図４Ａに示す）コンテンツの画面１１とスクロールバー１３を表示する。タッチパネル１０に表示される画面１１やスクロールバー１３等は、タッチパネル１０をペン２でタッチすることにより、操作可能となっている。タッチパネル１０の構造は、従来から公知のタッチパネルの構造と同様である。このため、タッチパネル１０の構造の説明を省略する。
【００３６】
上記記憶部２０は、各種機能を実行するためのプログラムやデータ情報を記憶している。記憶部２０は、各種コンテンツ記憶手段２１と、スクロールバー動作モード記憶手段２２と、当初画面記憶手段の一例の戻りページ記憶手段２３とを有する。
【００３７】
上記各種コンテンツ記憶手段２１は、（図３Ａに示す）国語辞典、英和辞典、和英辞典、英語参考書、数学参考書のコンテンツＣを、記憶している。これらのコンテンツＣは、この記憶手段２１に、予め、または、後から記憶される。
【００３８】
上記スクロールバー動作モード記憶手段２２は、スクロールバー１３の動作モードを記憶する。この動作モードには、後述する通常スクロールモード２２ａと暫定スクロールモード２２ｂがある。
【００３９】
上記制御部３０は、ＣＰＵ（中央演算処理）からなり、タッチパネル１０や記憶部２０等から信号を受けて、種々の演算処理を行って、タッチパネル１０や記憶部２０等に信号を出力する。
【００４０】
上記制御部３０は、スクロール手段３１と、暫定スクロールモード設定手段３２と、暫定スクロール手段３３と、暫定スクロールモード解除手段３４と、色変更手段３５とを有する。
【００４１】
これらの手段３１〜３５と、上記戻りページ記憶手段２３とは、図２Ａと図２Ｂに示す動作を行う。
【００４２】
上記構成の情報表示装置１は、図２Ａに示すように、動作する。
【００４３】
まず、使用者は、情報表示装置１を使用する際、図３Ａに示すように、タッチパネル１０にメニュー画面を表示する。このメニュー画面では、複数のコンテンツＣが、アイコンで、表示される。
【００４４】
そして、使用者は、このメニュー画面の何れか一つのコンテンツＣをペンで選択することで（ステップＳ１）、この選択されたコンテンツＣの画面が、図３Ｂに示すように、タッチパネル１０に表示される（ステップＳ２）。このとき、タッチパネル１０には、コンテンツＣの画面と共に、スクロールバー１３が表示される。
【００４５】
そして、使用者は、スクロールバー１３をペンでタッチするとき（ステップＳ３）、現在のページ（当初画面）から別のページ（最後画面）を一時的に参照する場合、図４Ａに示すように、ペン２で、スクロールバー１３のグリップ部分１４を、移動しないで長押しする（図２ＢのステップＳ１１）。この長押しは、特定操作の一例である。
【００４６】
すると、上記暫定スクロールモード設定手段３２は、スクロールバー１３の動作モードを、通常スクロールモード２２ａから暫定スクロールモード２２ｂに移行する（ステップＳ１２０）。
【００４７】
この暫定スクロールモード２２ｂが設定されると、上記戻りページ記憶手段２３は、現在の第１ページ（当初画面１１）を特定するページ番号を、戻りページ番号として一時的に記憶する（ステップＳ１２１）。戻りページ番号は、当初画面特定情報の一例であり、そのページの位置を示すアドレスである。
【００４８】
さらに、図４Ｂに示すように、上記色変更手段３５は、グリップ部分１４の色を、通常スクロールモード２２ａと比べて変更する（ステップＳ１２２）。これにより、使用者は、暫定スクロールモード２２ｂの設定を、コンテンツの表示部分を狭めることなく、視覚により簡単に確認できる。
【００４９】
一方、グリップ部分１４を長押しない場合（ステップＳ１１）、通常スクロールモード２２ａが設定される（ステップＳ１２）。この通常スクロールモード２２ａでは、上記スクロール手段３１は、使用者のスクロール操作によって、コンテンツの当初画面から最後画面までをスクロールして最後画面を表示する通常のスクロールを行う。
【００５０】
上記暫定スクロールモード２２ｂが設定された状態で、図４Ｃに示すように、ペン２でグリップ部分１４をタッチしたままドラッグすることで（ステップＳ１３）、上記暫定スクロール手段３３は、グリップ部分１４の移動量に応じて表示されるページを切り替えて、参照先の第１０ページ（最後画面１２）を表示する（ステップＳ１４）。
【００５１】
そして、使用者は、この第１０ページを参照した後、第１０ページが表示されている画面において、スクロールバー１３のタッチをリリースする（ステップＳ１５）。
【００５２】
このとき、図５Ａに示すように、使用者は、スクロールバー１３のグリップ部分１４上のＰ１位置でペン２をリリースする（ステップＳ１６）。
【００５３】
すると、図５Ｂに示すように、上記暫定スクロール手段３３は、戻りページ記憶手段２３に記憶されている戻りページ番号に基づいて、スクロール前の元の第１ページ（当初画面１１）を表示する（ステップＳ１７）。
【００５４】
上記暫定スクロールモード設定手段３２は、上記ステップＳ１１，Ｓ１２０から構成され、上記暫定スクロール手段３３は、上記ステップＳ１４，Ｓ１６，Ｓ１７から構成される。
【００５５】
なお、ペン２のリリースにより、スクロールバー１３の動作モードは、暫定スクロールモード２２ｂから通常スクロールモード２２ａに戻る。
【００５６】
このように、スクロールして最後画面１２をちらりと見た後、当初画面１１に戻りたいときは、暫定スクロール手段３３によって、使用者は、面倒なスクロール操作をしなくても、簡単に当初画面１１に戻ることができる。
【００５７】
したがって、参照先のページを確かめた後、すぐに現在読んでいるページに戻り、続きを読むことができる。いわゆる、ページのちら見が、可能となる。
【００５８】
また、スクロール後の最後画面１２から当初画面１１の復帰（暫定スクロール手段３３による暫定スクロール）と、最後画面１２の表示の維持（スクロール手段３１による通常スクロール）とを、自在に選択でき、操作性が向上する。
【００５９】
一方、上記暫定スクロールモード２２ｂが設定され、かつ、参照先の第１０ページ（最後画面１２）が表示されているときに、使用者の気が変わって、参照先の第１０ページから続けて読みたい場合がある。
【００６０】
このとき、図６Ａに示すように、使用者は、スクロールバー１３に対するペン２によるタッチを、グリップ部分１４上のＰ１位置から、第１０ページ上のＰ２位置へドラッグしてから、このＰ２位置でリリースする（ステップＳ１６）。
【００６１】
すると、図６Ｂに示すように、上記暫定スクロールモード解除手段３４は、暫定スクロールモード２２ｂの設定を解除して、現在表示されている第１０ページの表示を継続する（ステップＳ１８）。
【００６２】
上記暫定スクロールモード解除手段３４は、上記ステップＳ１６，Ｓ１８から構成される。
【００６３】
このように、簡単な操作で、通常のスクロール（通常スクロールモード２２ａ）と同様に当初画面１１に戻さずに、参照先の最後画面１２の表示を継続できる。
【００６４】
したがって、一度、暫定スクロールモード設定２２ｂが設定され、暫定スクロール手段３３で暫定スクロールを行っていても、気持ちが変わったときは、暫定スクロールモード解除手段３４によって、通常のスクロールと同じ状態にして、最後画面１２を表示したままにできる。
【００６５】
その後、使用者が現在のコンテンツＣを見ることをやめるまで（ステップＳ４）、上記情報表示装置１は、上記ステップＳ２，Ｓ３，Ｓ１１〜Ｓ１８の動作を行う。
【００６６】
なお、この発明は上述の実施形態に限定されない。
【００６７】
上記実施形態では、スクロールバー１３を長押しすることで暫定スクロールモード２２ｂ（ちら見モード）に移行したが、スクロールバー１３をマルチタッチすることで暫定スクロールモード２２ｂに移行するようにしてもよく、暫定スクロールモード設定手段３２が、以前のタッチと変わったことを、判断できるようなタッチで有れば、構わない。
【００６８】
上記実施形態では、ペン２のタッチにより、スクロールバー１３を操作したが、指のタッチにより、スクロールバー１３を操作するようにしてもよい。
【００６９】
上記実施形態では、上記色変更手段３５は、グリップ部分１４の色を変更したが、スクロールバー１３の全体の色を変更してもよい。
【００７０】
上記実施形態では、上記暫定スクロールモード解除手段３４を設けたが、この暫定スクロールモード解除手段３４を省略してもよい。
【００７１】
上記実施形態では、書籍型のコンテンツについて説明したが、映像や画面型のコンテンツであってもよい。
【００７２】
上記実施形態では、情報表示装置として、電子辞書を説明したが、パソコン、携帯電話、携帯情報端末（PDA: Personal Digital Assistant）等の情報表示装置であってもよい。
【００７３】
なお、本発明の情報表示方法として、スクロール工程（つまり、上記スクロール手段）と、暫定スクロールモード設定工程（つまり、上記暫定スクロールモード設定手段）と、当初画面記憶工程（つまり、上記当初画面記憶手段）と、暫定スクロール工程（つまり、上記暫定スクロール手段）とを備えるようにしてもよい。
【００７４】
また、本発明の情報表示プログラムとして、コンピュータを、上記スクロール手段、上記暫定スクロールモード設定手段、上記当初画面記憶手段および上記暫定スクロール手段として機能させるようにしてもよい。
【００７５】
また、本発明のプログラム記録媒体として、上記情報表示プログラムを記録するようにしてもよい。
【符号の説明】
【００７６】
１  情報表示装置
２  ペン
１０  タッチパネル
１１  当初画面
１２  最後画面
１３  スクロールバー
１４  グリップ部分
２０  記憶部
２１  各種コンテンツ記憶手段
２２  スクロールバー動作モード記憶手段
２２ａ  通常スクロールモード
２２ｂ  暫定スクロールモード
２３  戻りページ記憶手段（当初画面記憶手段）
３０  制御部
３１  スクロール手段
３２  暫定スクロールモード設定手段
３３  暫定スクロール手段
３４  暫定スクロールモード解除手段
３５  色変更手段
【図１】
0006004746.tif 000002
【図２Ａ】
0006004746.tif 000003
【図２Ｂ】
0006004746.tif 000004
【図３Ａ】
0006004746.tif 000005
【図３Ｂ】
0006004746.tif 000006
【図４Ａ】
0006004746.tif 000007
【図４Ｂ】
0006004746.tif 000008
【図４Ｃ】
0006004746.tif 000009
【図５Ａ】
0006004746.tif 000010
【図５Ｂ】
0006004746.tif 000011
【図６Ａ】
0006004746.tif 000012
【図６Ｂ】
0006004746.tif 000013